(57)【要約】【課題】制御ユニットを装置本体に装着する際の問題の少なくとも一つに考慮された記録装置および制御ユニットを提供する。【解決手段】記録装置は、被記録媒体に記録を行う記録手段を備える装置本体と、前記装置本体が備える制御対象の制御を行う、前記装置本体に対し着脱可能な制御ユニットと、前記装置本体において前記制御ユニットと電気的に接続される被接続部と、を備え、前記被接続部が複数設けられるとともに、前記制御ユニットと複数の前記被接続部とがケーブルで接続される。前記制御ユニットは、複数の前記ケーブルのうち少なくとも一つを収容可能な収容部を有する。前記制御ユニットは、回路基板を備えて成り、前記収容部は、前記回路基板の平面視において前記回路基板の領域内にある。【選択図】図１３
2017121714.tif 000002
【特許請求の範囲】
【請求項１】
被記録媒体に記録を行う記録手段を備える装置本体と、
前記装置本体が備える制御対象の制御を行う、前記装置本体に対し着脱可能な制御ユニットと、
前記装置本体において前記制御ユニットと電気的に接続される被接続部と、を備え、
前記被接続部が複数設けられるとともに、前記制御ユニットと複数の前記被接続部とがケーブルで接続される、
ことを特徴とする記録装置。
【請求項２】
請求項１に記載の記録装置において、前記制御ユニットは、複数の前記ケーブルのうち少なくとも一つを収容可能な収容部を有する、
ことを特徴とする記録装置。
【請求項３】
請求項２に記載の記録装置において、前記制御ユニットは、回路基板を備えて成り、
前記収容部は、前記回路基板の平面視において前記回路基板の領域内にある、
ことを特徴とする記録装置。
【請求項４】
請求項２または請求項３に記載の記録装置において、前記収容部は、複数の前記ケーブルのうち少なくとも一のケーブルのノイズを抑制するノイズ抑制手段を配置する配置部と一体的に形成されている、
ことを特徴とする記録装置。
【請求項５】
請求項２から請求項４のいずれか一項に記載の記録装置において、前記収容部に収容される前記ケーブルは、前記制御ユニットの外側を構成する面において、前記収容部が設けられた面と同じ面から延出する、
ことを特徴とする記録装置。
【請求項６】
請求項５に記載の記録装置において、前記収容部は、前記制御ユニットにおいて、装置奥側となる面に設けられている、
ことを特徴とする記録装置。
【請求項７】
請求項２から請求項６のいずれか一項に記載の記録装置において、前記収容部に収容される前記ケーブルには、前記収容部に収容する際の折り目となる位置に、第１の折れ線が付されている、
ことを特徴とする記録装置。
【請求項８】
請求項２から請求項７のいずれか一項に記載の記録装置において、前記収容部に収容される前記ケーブルには、前記装置本体に前記制御ユニットを装着した際の折り目となる位置に、第２の折れ線が付されている、
ことを特徴とする記録装置。
【請求項９】
請求項１から請求項８のいずれか一項に記載の記録装置において、前記装置本体に対し回動可能に連結され、回動することにより前記装置本体の上部を開閉する開閉部を備え、
前記被接続部は、前記開閉部を開くことにより露呈する位置に配置されている、
ことを特徴とする記録装置。
【請求項１０】
請求項９に記載の記録装置において、前記制御ユニットは、前記装置本体において前記開閉部の自由端側に配置されている、
ことを特徴とする記録装置。
【請求項１１】
被記録媒体に記録を行う記録手段を備える装置本体に設けられた制御対象の制御を行う、請求項２から請求項８のいずれか一項に記載の制御ユニット。
【請求項１２】
被記録媒体に記録を行う記録手段を備える装置本体に設けられた制御対象の制御を行う、前記装置本体に対し着脱可能な制御ユニットであって、
前記装置本体が備える被接続部との電気的な接続を行うケーブルを収容する収容部を有する、
ことを特徴とする制御ユニット。
【発明の詳細な説明】
【技術分野】
【０００１】
本発明は、被記録媒体に記録を行う記録手段を備える記録装置に関する。また本発明は、被記録媒体に記録を行う記録手段を備える装置本体に設けられた制御対象の制御を行う、前記装置本体に対し着脱可能な制御ユニットに関する。
【背景技術】
【０００２】
ファクシミリやプリンターに代表される記録装置においては、各種制御対象（モーター、記録ヘッドなど）を制御する制御ユニットが設けられている。制御ユニットは、ＣＰＵやメモリなどが実装された回路基板を主な構成要素とし、そのような回路基板が筐体によって覆われるとともに装置本体に対して着脱可能に構成されたものがある。その様な制御ユニットの一例が、特許文献１に示されている。
【先行技術文献】
【特許文献】
【０００３】
【特許文献１】特開２００８−１４１１３２号公報
【発明の概要】
【発明が解決しようとする課題】
【０００４】
特許文献１記載の画像形成装置では、制御ユニット（コントロールボックス）に本体接続用コネクタを備え、制御ユニットが装置に挿入された際、本体接続用コネクタが、装置内部の電装部品と接続する構成となっている。
【０００５】
しかしながら、例えばコネクタのピン数が増えると、それに伴い制御ユニットを装置本体に挿す為に必要な力が増大し、作業性が低下することとなる。これは制御ユニットを装置本体に対して着脱する際の課題の一例であるが、いずれにしても制御ユニットを装置本体に対し着脱する際の、作業性のより一層の向上が求められていた。  
そこで本発明はこの様な状況に鑑みなされたものであり、その目的は、制御ユニットを装置本体に装着する際の問題の少なくとも一つに考慮された記録装置および制御ユニットを提供することにある。
【課題を解決するための手段】
【０００６】
上記課題を解決する為の、本発明の第１の態様に係る記録装置は、被記録媒体に記録を行う記録手段を備える装置本体と、前記装置本体が備える制御対象の制御を行う、前記装置本体に対し着脱可能な制御ユニットと、前記装置本体において前記制御ユニットと電気的に接続される被接続部と、を備え、前記被接続部が複数設けられるとともに、前記制御ユニットと複数の前記被接続部とがケーブルで接続されることを特徴とする。
【０００７】
本態様によれば、前記装置本体において前記制御ユニットと電気的に接続される被接続部が複数設けられるとともに、前記制御ユニットと複数の前記被接続部とがケーブルで接続されるので、着脱可能な前記制御ユニットを前記装置本体に着脱する際に必要な力の増大を抑制でき、前記制御ユニットを前記装置本体に着脱する際の作業性が向上する。
【０００８】
本発明の第２の態様は、第１の態様におおいて、前記制御ユニットは、複数の前記ケーブルのうち少なくとも一つを収容可能な収容部を有することを特徴とする。
【０００９】
本態様によれば、前記制御ユニットは、複数の前記ケーブルのうち少なくとも一つを収容可能な収容部を有するので、前記制御ユニットを前記装置本体に装着する際において、前記ケーブルの、前記装置本体を構成する部材への引っ掛かりを回避でき、或いは前記引っ掛かりの危険性を抑制できる。その結果、前記制御ユニットを前記装置本体に挿す際の作業性がより一層向上するとともに、前記ケーブルの被覆に傷を付けたり断線させたり等の問題を回避できる。
【００１０】
本発明の第３の態様は、第２の態様において、前記制御ユニットは、回路基板を備えて成り、前記収容部は、前記回路基板の平面視において前記回路基板の領域内にあることを特徴とする。
【００１１】
本態様によれば、前記制御ユニットは、回路基板を備えて成り、前記収容部は、前記回路基板の平面視において前記回路基板の領域内にあるので、前記収容部の配設に伴う前記制御ユニットの大型化を回避でき、或いは大型化を抑制できる。
【００１２】
本発明の第４の態様は、第２のまたは第３の態様において、前記収容部は、複数の前記ケーブルのうち少なくとも一のケーブルのノイズを抑制するノイズ抑制手段を配置する配置部と一体的に形成されていることを特徴とする。
【００１３】
本態様によれば、前記収容部は、複数の前記ケーブルのうち少なくとも一のケーブルのノイズを抑制するノイズ抑制手段を配置する配置部と一体的に形成されているので、前記収容部と前記配置部とを別個の部材で構成する必要がなく、低コスト化を図ることができる。
【００１４】
本発明の第５の態様は、第２から第４の態様のいずれかにおいて、前記収容部に収容される前記ケーブルは、前記制御ユニットの外側を構成する面において、前記収容部が設けられた面と同じ面から延出することを特徴とする。
【００１５】
本態様によれば、前記収容部に収容される前記ケーブルは、前記制御ユニットの外側を構成する面において、前記収容部が設けられた面と同じ面から延出するので、前記ケーブルを前記収容部に収容した際、前記制御ユニットの外側に露呈するケーブル部分を少なくできる。その結果、前記制御ユニットを前記装置本体に挿す際に前記ケーブルがより一層邪魔にならず、また、前記ケーブルの被覆に傷を付けたり断線させたり等の問題をより確実に回避できる。
【００１６】
本発明の第６の態様は、第５の態様において、前記収容部は、前記制御ユニットにおいて装置奥側となる面に設けられていることを特徴とする。  
本態様によれば、前記収容部は、前記制御ユニットにおいて装置奥側となる面に設けられているので、前記制御ユニットを前記装置本体に装着する際に前記収容部から前記ケーブルが或る程度飛び出ていても、前記装置本体を構成する部材への前記ケーブルの引っ掛かりを回避でき、或いは前記引っ掛かりの危険性を抑制できる。
【００１７】
本発明の第７の態様は、第２から第６の態様のいずれかにおいて、前記収容部に収容される前記ケーブルには、前記収容部に収容する際の折り目となる位置に、第１の折れ線が付されていることを特徴とする。
【００１８】
本態様によれば、前記収容部に収容される前記ケーブルには、前記収容部に収容する際の折り目となる位置に、第１の折れ線が付されているので、前記収容部に前記ケーブルを収容する作業が容易になるとともに、前記ケーブルを前記収容部に適切に収容することができる。
【００１９】
本発明の第８の態様は、第２から第７の態様のいずれかにおいて、前記収容部に収容される前記ケーブルには、前記装置本体に前記制御ユニットを装着した際の折り目となる位置に、第２の折れ線が付されていることを特徴とする。
【００２０】
本態様によれば、前記収容部に収容される前記ケーブルには、前記装置本体に前記制御ユニットを装着した際の折り目となる位置に、第２の折れ線が付されているので、前記ケーブルを前記被接続部に接続する作業が容易になるとともに、前記ケーブルを前記装置本体内において適切に配線することができる。
【００２１】
本発明の第９の態様は、第１から第８の態様のいずれかにおいて、前記装置本体に対し回動可能に連結され、回動することにより前記装置本体の上部を開閉する開閉部を備え、前記被接続部は、前記開閉部を開くことにより露呈する位置に配置されていることを特徴とする。
【００２２】
本態様によれば、前記装置本体に対し回動可能に連結され、回動することにより前記装置本体の上部を開閉する開閉部を備え、前記被接続部は、前記開閉部を開くことにより露呈する位置に配置されているので、前記被接続部と前記ケーブルとの接続及び切り離し作業が容易となる。
【００２３】
本発明の第１０の態様は、第９の態様において、前記制御ユニットは、前記装置本体において前記開閉部の自由端側に配置されていることを特徴とする。  
本態様によれば、前記制御ユニットは、前記装置本体において前記開閉部の自由端側に配置されているので、作業スペースをより一層大きく確保することができ、前記被接続部と前記ケーブルとの接続及び切り離し作業をより一層容易に行うことができる。
【００２４】
本発明の第１１の態様に係る制御ユニットは、被記録媒体に記録を行う記録手段を備える装置本体に設けられた制御対象の制御を行う、第２から第８の態様のいずれかに係る制御ユニットである。  
本態様によれば、制御ユニットにおいて、上述した第２から第８の態様のいずれかと同様な作用効果を得ることができる。
【００２５】
本発明の第１２の態様に係る制御ユニットは、被記録媒体に記録を行う記録手段を備える装置本体に設けられた制御対象の制御を行う、前記装置本体に対し着脱可能な制御ユニットであって、前記装置本体が備える被接続部との電気的な接続を行うケーブルを収容する収容部を有することを特徴とする。
【００２６】
本態様によれば、前記制御ユニットは、前記装置本体が備える被接続部との電気的な接続を行うケーブルを収容する収容部を有するので、前記制御ユニットを前記装置本体に装着する際において、前記ケーブルの、前記装置本体を構成する部材への引っ掛かりを回避でき、或いは前記引っ掛かりの危険性を抑制できる。その結果、前記制御ユニットを前記装置本体に挿す際の作業性がより一層向上するとともに、前記ケーブルの断線等を回避できる。
【図面の簡単な説明】
【００２７】
【図１】本発明に係るプリンター１０を装置前面側から見た外観斜視図。
【図２】本発明に係るプリンター１０を装置背面側から見た外観斜視図。
【図３】プリンターの左側面から外装部材を取り外した状態を示す斜視図。
【図４】プリンターの右側面から外装部材を取り外した状態を示す斜視図。
【図５】プリンターにおいて装置本体に対してスキャナ部を回動させた状態を示す背面側斜視図。
【図６】図５において制御ユニットを取り外した状態を示す斜視図。
【図７】制御ユニットの斜視図。
【図８】制御ユニットを装置奥側となる面から見た斜視図。
【図９】制御ユニットの側面図。
【図１０】制御ユニットの側面図。
【図１１】制御ユニットにおける収容部と配置部とを示す拡大斜視図。
【図１２】制御ユニットにおける回路基板を示す側面図。
【図１３】制御ユニットにおいて収容部内にケーブルを収容した状態を示す斜視図。
【図１４】収容部内に収容されるケーブルの折り畳みを説明する概要図。
【図１５】ケーブルにおける第１の折れ線及び第２の折れ線を示す平面図。
【図１６】装置本体背面側に取り付けられた状態の制御ユニットを示す斜視図。
【図１７】図１６において制御ユニットのカバーを取り外した状態の斜視図。
【図１８】装置本体内において制御ユニットと接続される被接続部を示す斜視図。
【発明を実施するための形態】
【００２８】
以下、本発明の実施の形態を図面に基づいて説明する。尚、各実施例において同一の構成については、同一の符号を付し、最初の実施例においてのみ説明し、以後の実施例においてはその構成の説明を省略する。
【００２９】
図１は本発明に係るプリンター１０を装置前面側から見た外観斜視図であり、図２は本発明に係るプリンター１０を装置背面側から見た外観斜視図であり、図３はプリンターの左側面から外装部材を取り外した状態を示す斜視図であり、図４はプリンターの右側面から外装部材を取り外した状態を示す斜視図であり、図５はプリンターにおいて装置本体に対してスキャナ部を回動させた状態を示す背面側斜視図であり、図６は図５において制御ユニットを取り外した状態を示す斜視図である。
【００３０】
図７は制御ユニットの斜視図であり、図８は制御ユニットを装置奥側となる面から見た斜視図であり、図９は制御ユニットの側面図であり、図１０は制御ユニットの側面図であり、図１１は制御ユニットにおける収容部と配置部とを示す拡大斜視図であり、図１２は制御ユニットにおける回路基板を示す側面図である。
【００３１】
図１３は制御ユニットにおいて収容部内にケーブルを収容した状態を示す斜視図であり、図１４は収容部内に収容されるケーブルの折り畳みを説明する概要図であり、図１５はケーブルにおける第１の折れ線及び第２の折れ線を示す平面図であり、図１６は装置本体背面側に取り付けられた状態の制御ユニットを示す斜視図であり、図１７は図１６において制御ユニットのカバーを取り外した状態の斜視図であり、図１８は装置本体内において制御ユニットと接続される被接続部を示す斜視図である。
【００３２】
また、各図において示すＸ−Ｙ−Ｚ座標系はＸ方向がスキャナ部の給送機構部における原稿の送り方向であるとともに記録装置の幅方向、Ｙ方向が読み取り機構部における主走査方向であるとともに記録装置の奥行き方向、Ｚ方向が装置高さ方向を示している。尚、各図において＋Ｘ方向側を装置左側とし、−Ｘ方向側を装置右側とし、−Ｙ方向を装置前面側とし、＋Ｙ方向側を装置背面側とし、＋Ｚ軸方向側を装置上方側とし、−Ｚ軸方向側を装置下方側とする。
【００３３】
■■■実施例の説明■■■■
＜＜＜プリンターの概要＞＞＞
図１及び図２を参照するに、本実施例に係る「記録装置」としてのプリンター１０は、装置本体１２と、装置本体１２の上方に配置され、装置本体１２に対して回動可能な「開閉部」としてのスキャナ部１４と、装置本体１２の装置幅方向の右側面及び左側面にそれぞれ配置されたインク収容体格納部１６Ａ、１６Ｂとを備えている。
【００３４】
装置本体１２は、下部に被記録媒体を収容する媒体収容部１８が設けられている。また、装置本体１２の前面側には、排出口２０が設けられている。そして、媒体収容部１８の上部には、排出口２０から排出された被記録媒体を受ける排出トレイ２２が設けられている。
【００３５】
また、装置前面側において排出口２０の上方には、操作部２４が設けられている。そして、装置本体１２内には、キャリッジ２６（図１における破線部参照）が図示しない駆動手段により装置幅方向に沿って往復動可能に構成されている。キャリッジ２６の下部には被記録媒体に向けてインクを吐出する、「記録手段」としての記録ヘッド２８（図１における破線部参照）が設けられている。
【００３６】
また、一例としてインク収容体格納部１６Ａ（装置幅方向左側）には、黒色のインクを収容するインク収容体（不図示）が格納され、インク収容体格納部１６Ｂ（装置幅方向右側）にはマゼンタ、イエロー、シアンの各色のインクにそれぞれ対応する複数のインク収容体（不図示）が格納されている。そして、本実施例では各インク収容体から記録ヘッド２８に対してインクが供給可能に構成されている。
【００３７】
本実施例において、媒体収容部１８に収容された被記録媒体は、図示しない給送手段により、キャリッジ２６の記録ヘッド２８と対向する領域に送られる。そして、記録ヘッド２８と対向する領域において被記録媒体は記録ヘッド２８から吐出されるインクを受けて記録が実行される。そして、記録が実行された被記録媒体は、排出トレイ２２に向けて排出される。
【００３８】
＜＜＜スキャナ部の概要＞＞＞
続いて、スキャナ部１４の概要について説明する。スキャナ部１４は、上面に原稿を載置する原稿台１４ａ（図１破線部参照）を備えた読み取り機構部１４ｂと、読み取り機構部１４ｂに対して閉じた姿勢（図１における符号１４ｃが付されている状態）と開いた姿勢（図１における符号１４ｃ′が付された状態）とを切換え可能な給送機構部１４ｃとを備えている。本実施例において給送機構部１４ｃは装置背面側の端部を回動支点として読み取り機構部１４ｂに対して回動可能に構成されている。
【００３９】
そして、給送機構部１４ｃを読み取り機構部１４ｂに対して開いた姿勢（図１における符号１４ｃ′の状態）にすることにより、原稿台１４ａ（図１破線部参照）に原稿をセットすることが可能である。また、読み取り機構部１４ｂ内には原稿台１４ａにセットされた原稿の被読み取り面を読み取り可能な読み取り手段（不図示）が設けられている。また、給送機構部１４ｃは原稿セット部１４ｄにセットされた原稿を原稿排出トレイ１４ｅに向けて搬送可能に構成されており、原稿の搬送途中で原稿の被読み取り面を読み取り手段により読み取り可能に構成されている。
【００４０】
＜＜＜装置本体上部へのアクセスについて＞＞＞
本実施例において、スキャナ部１４は、図５に示すように装置本体１２に対して回動可能に構成されており、スキャナ部１４を装置本体１２に対して回動させることにより、装置本体１２の内部へ上方からのアクセスが可能になるように構成されている。
【００４１】
図１及び図２に示すように、プリンター１０において、スキャナ部１４の読み取り機構部１４ｂの装置幅方向における両側面には、外装部材３０が取り付けられている。外装部材３０をスキャナ部１４の読み取り機構部１４ｂから取り外すことにより、装置本体１２とスキャナ部１４との接続部が露出する（図３及び図４参照）。図３に示すように、読み取り機構部１４ｂの装置幅方向における左側面（＋Ｘ軸方向側）の外装部材３０を取り外すと、装置本体１２とスキャナ部１４との接続部、より具体的には、スキャナ部１４を装置本体１２に対して回動させるヒンジ部３２が露出する。
【００４２】
次いで、図４に示すように、読み取り機構部１４ｂの装置幅方向における右側面（−Ｘ軸方向側）の外装部材３０（図１）を取り外すと、装置本体１２とスキャナ部１４との固定部３８ａ、３８ｂが露出する。本実施例では、スキャナ部１４の装置幅方向右側端部において、固定部３８ａは、装置奥行き方向前方寄りに設けられており、固定部３８ｂは装置奥行き方向後方寄りに設けられている。
【００４３】
また、図５を参照するに、装置本体１２の上部において装置幅方向右側端部には、スキャナ固定部１２ａ、１２ｂが設けられている。本実施例では、固定部３８ａ、３８ｂとスキャナ固定部１２ａ、１２ｂとをスキャナ固定ねじ４０（図４）により接続することで、装置本体１２に対してスキャナ部１４の装置幅方向右側端部が固定される。
【００４４】
また、装置高さ方向において装置本体１２と読み取り機構部１４ｂと間には、一端が読み取り機構部１４ｂに接続され、他端が装置本体１２に接続されたリンク部４２が設けられている。リンク部４２は第１リンク４２ａと第２リンク４２ｂとを備えている。本実施例において第１リンク４２ａと第２リンク４２ｂとは、互いに相対的に回動可能に接続されている。装置本体１２に対してスキャナ部１４を閉じた状態（図１参照）では、第１リンク４２ａと第２リンク４２ｂとは互いに重なるように回動し、折り畳まれた状態（不図示）となっている。
【００４５】
＜＜＜スキャナ部の装置本体に対する回動について＞＞＞
図１ないし図５を参照してスキャナ部１４の装置本体１２に対する回動動作について説明する。まず、図１及び図２に示すように、スキャナ部１４の読み取り機構部１４ｂの両側部に設けられた外装部材３０を取り外す。次いで、図２に示すように装置本体１２の背面側に設けられた背面カバー４４を装置本体１２から取り外す。
【００４６】
そして、固定部３８ａ、３８ｂとスキャナ固定部１２ａ、１２ｂとを接続するスキャナ固定ねじ４０を緩め、固定部３８ａ、３８ｂとスキャナ固定部１２ａ、１２ｂとの接続を解除する。そして、スキャナ部１４の装置幅方向右側端部（図５における−Ｘ軸方向側）を自由端として、スキャナ部１４を装置本体１２に対して回動させる。この際、ヒンジ部３２がスキャナ部１４の回動支点となる。
【００４７】
そして、スキャナ部１４が装置本体１２に対して回動すると、第１リンク４２ａと第２リンク４２ｂとが折り畳まれた状態から相対的に変位してリンク部４２が開いた状態、すなわち、第１リンク４２ａと第２リンク４２ｂとが直線状になった状態へと切り換わる（図５及び図６参照）。そして、スキャナ部１４が装置本体１２に対して所定の角度まで回動すると、リンク部４２は、リンク部４２に設けられたロック手段によりロックされ、スキャナ部１４が所定の角度で装置本体１２に対して開いた姿勢でスキャナ部１４を支持する。これにより、装置本体１２の上部から装置本体１２の内部へのアクセスが可能となり、装置本体１２におけるメンテナンス性が向上する。
【００４８】
また、図５に示すように装置本体１２から背面カバー４４を取り外して、スキャナ部１４を装置本体１２に対して回動させることにより、装置本体１２及びスキャナ部１４を制御する制御ユニット４６が露出する。そして、制御ユニット４６に取り付けられている複数のケーブルを取り外すことにより装置本体１２から制御ユニット４６を引き出して取り外すことができる（図６参照）。制御ユニット４６の装置本体１２に対する着脱については後ほど、詳細に説明する。
【００４９】
＜＜＜制御ユニットについて＞＞＞
以下、図７ないし図１５を参照して、制御ユニット４６について詳説する。制御ユニット４６は、箱状の筐体４８と、その内部に設けられた回路基板５０とを備えている。そして、制御ユニット４６が装置本体１２に取り付けられた際、装置本体１２の背面側において露出するインターフェース部５２が設けられている。一例として、インターフェース部５２には、ＵＳＢやＬＡＮ等の外部接続のための接続口が設けられている。
【００５０】
尚、以下の説明では、制御ユニット４６においてインターフェース部５２が設けられた側をインターフェース部側と呼び、インターフェース部５２が設けられた側と反対側、すなわち制御ユニット４６を装置本体１２に取り付けた際、装置本体１２の奥方に位置する側を装置奥方側と呼ぶこととする。
【００５１】
また、筐体４８には制御ユニット４６を装置本体１２へ固定するための複数の制御ユニット固定部５４が設けられている。本実施例において、複数の制御ユニット固定部５４は、３箇所設けられている。図７を参照するに、制御ユニット固定部５４、５４がインターフェース部側に装置高さ方向に間隔をおいて２箇所設けられている。もう１箇所の制御ユニット固定部５４は、図７及び図１１を参照するに装置奥方側において筐体４８の上端部に設けられている。
【００５２】
また、図９及び図１０を参照するに、制御ユニット４６には複数のコネクタ接続部５６Ａ、５６Ｂ、５６Ｃ、５６Ｄ、５６Ｅ、５６Ｆが設けられている。具体的には、図７及び図９に示すように、制御ユニット４６を装置本体１２に取り付けた際に装置幅方向右方となる側、図７及び図９における−Ｘ軸方向側に向けてコネクタを着脱可能なコネクタ接続部５６Ａ、５６Ｂ、５６Ｃが設けられている。また、図７に示すようにコネクタ接続部５６Ｄは、装置高さ方向上方側に向けてコネクタを着脱可能に設けられている。
【００５３】
また、図１０を参照するに、制御ユニット４６を装置本体１２に取り付けた際に装置幅方向左方となる側、すなわち図７における＋Ｘ軸方向側に向けてコネクタを着脱可能なコネクタ接続部５６Ｅと、複数のコネクタ接続部５６Ｆとが設けられている。
【００５４】
制御ユニット４６が装置本体１２に取り付けられた際、これらのコネクタ接続部５６Ａ、５６Ｂ、５６Ｃ、５６Ｄ、５６Ｅ、５６Ｆには、それぞれ対応するコネクタ（不図示）が接続される。そして、これらのコネクタにはケーブルが接続されており（図１６ないし図１８参照）、ケーブルを介して装置本体１２及びスキャナ部１４の制御対象あるいは電源基板等と電気的に接続され、データー等の送受信を行うように構成されている。
【００５５】
＜＜＜制御ユニットにおける収容部及びケーブルの構成について＞＞＞
図７、図８及び図１１ないし図１５を参照して制御ユニット４６における収容部５８及びケーブル６０の収納、ケーブルの折り畳みについて説明する。
【００５６】
図１１を参照するに、制御ユニット４６の筐体４８の装置奥方側の面には、収容部５８、配置部６２及び開口６３が設けられている。本実施例において、収容部５８、配置部６２及び開口６３は、樹脂材料等で一体の部材として成形されている。また、開口６３は装置高さ方向において収容部５８と配置部６２との間に設けられている。尚、本実施例において収容部５８と配置部６２とは、後述するケーブル接続部６７における後述するケーブル６１の着脱が可能な作業スペースを確保した上で装置高さ方向に離間して配置されている。
【００５７】
配置部６２内にはノイズ抑制手段６４が設けられている。本実施例では、ノイズ抑制手段６４はフェライトコアにより構成されている。そして、フェライトコア内に後述するケーブル６０を通すことが可能に構成されている。また、収容部５８は装置奥方に向けて開口する凹部として構成されている。そして、収容部５８は、図１２に示すように回路基板５０の平面視において回路基板５０の領域内に配置されている。
【００５８】
図１２を参照するに、回路基板５０には複数のケーブル接続部６６が設けられている。そして、図１４に示すように各ケーブル接続部６６にはケーブル６０（図７及び図８参照）の一端が接続されている。各ケーブル接続部６６に接続されたケーブル６０は、図８に示すように配置部６２内に配置されたノイズ抑制手段６４を通って、筐体４８の外側に延出している。
【００５９】
さらに、回路基板５０にはケーブル接続部６７が設けられている（図１２参照）。ケーブル接続部６７にはケーブル６１の一端が接続されている（図１４参照）。そして、ケーブル接続部６７に接続されたケーブル６１は、開口６３を通って、筐体４８の外側に延出している（図８参照）。本実施例においてケーブル６０、６１は、可撓性のフレキシブルフラットケーブル（ＦＦＣ）として構成されている。また、本実施例においてケーブル６０、６１の幅は、制御ユニット４６において装着方向（図１３におけるＹ軸方向）と交差する方向、すなわち筐体４８の厚さ（図１３におけるＸ軸方向）以内に収まるサイズに設定されている。
【００６０】
そして、本実施例において、ケーブル６０、６１は図１３及び図１４に示すように制御ユニット４６の輸送時や、装置本体１２に取り付けられる際、収容部５８内に折り畳まれて収容されている。具体的には、ケーブル６０が折り畳まれて収容部５８内に収容されている状態において、ケーブル６０の他端６０ａが収容部５８の奥方の面５８ａ側に位置するようにケーブル６０は折り畳まれている。同様にケーブル６１も他端６１ａが収容部５８の奥方の面５８ａ側に位置するように折り畳まれている。尚、図１３に示すように収容部５８内に収容された状態のケーブル６０、６１の筐体４８の奥方側からの突出量は後述するケーブル配線空間７２において配線作業を妨げない程度に設定されている。
【００６１】
本実施例では、ケーブル６０、６１の他端６０ａ、６１ａが収容部５８の奥方の面５８ａ側に位置するように収容部５８内に収容されるので、収容部５８を輸送する際や装着の際、他端６０ａ、６１ａを露出させないので、ケーブル６０、６１の破損を抑制できる。さらに、収容部５８内に他端６０ａ、６１ａを収容することにより、ケーブル６０、６１の他端６０ａ、６１ａが不用意に装置本体１２の他の部材等に接触してケーブル６０、６１に静電気が流れることにより回路基板５０の電子部品が破損することを抑制できる。
【００６２】
ここで、図１４において収容部５８における凹部の装置奥行き方向の長さをＬ１とする。そして、図１５に示すようにケーブル６０を例として、ケーブル６０の他端６０ａから長さＬ１毎に第１の折れ線６０ｂが付されている。そして、本実施例において第１の折れ線６０ｂは、他端６０ａから長さＬ１毎に長さＬ１の奇数倍となる位置まで付されている。
【００６３】
すなわち、ケーブル６０に付される第１の折れ線６０ｂの数は奇数となるように設定されている。一例として、図１５では他端６０ａから長さＬ１毎に長さＬ１の３倍となる位置まで３カ所の第１の折れ線６０ｂが付されている。第１の折れ線６０ｂは、ケーブル６０を収容部５８内に収容する際の折り目となるようにケーブル６０に付されている。
【００６４】
また、図１５においてケーブル６０には、ケーブル６０の長手方向に沿って第２の折れ線６０ｃが適宜付されている。第２の折れ線６０ｃは、制御ユニット４６が装置本体１２に装着された際、制御ユニット４６から後述する「被接続部」としての中継基板６８、７０までの所定の経路に沿ってケーブル６０を引き回すための折り目として付されている。尚、図１５に示した第２の折れ線６０ｃは、あくまで一例であり、所定の経路に応じてケーブル６０において付される位置、パターン等は適宜変更される。また、ケーブル６１においても第１の折れ線６１ｂ及び第２の折れ線がケーブル６０と同様に設けられている。
【００６５】
＜＜＜中継基板について＞＞＞
図１６ないし図１８を参照して、装置本体１２側に設けられる中継基板６８、７０について説明する。中継基板６８、７０は装置本体１２において上部に設けられている。そして、装置本体１２に対してスキャナ部１４を回動させた状態（図５及び図６参照）において、中継基板６８、７０は装置本体１２の上部において露呈する。図１８を参照するに、中継基板６８、７０は、装置本体１２の上部において装置本体１２の装置奥行き方向中央領域に設けられたケーブル配線空間７２に配置されている。これにより、中継基板６８、７０における配線作業を容易にできる。
【００６６】
本実施例において中継基板６８は、ケーブル配線空間７２内においてケーブル６０の取り外し方向が装置奥行き方向となるように装置本体１２に設けられている。具体的には、中継基板６８はケーブル配線空間７２を形成するフレーム７４の側面に設けられている。一方、中継基板７０は、ケーブル配線空間７２内においてケーブル６１の取り外し方向が装置高さ方向となるように装置本体１２に設けられている。具体的には、中継基板７０はケーブル配線空間７２を形成するフレーム７４の底面に設けられている。また、中継基板６８と中継基板７０とはケーブル配線空間７２内において装置幅方向にずらして配置されている。
【００６７】
尚、本実施例において中継基板６８は、一例として記録ヘッド２８に電気的に接続されており、記録ヘッド２８と制御ユニット４６とのデーターの送受信を中継するように構成されている。また、中継基板７０は、一例としてプリンター１０におけるインク収容体格納部１６Ａ、１６Ｂに格納されたインク収容体（不図示）におけるインク残量、インクの色の種類等のデーターを送受信するように構成されている。そして、本実施例では、中継基板６８、７０においてデーターの送受信対象を分けて配置したので、ケーブル６０、６１との接続を容易に識別することができる。
【００６８】
本実施例において、制御ユニット４６が装置本体１２に装着された際、収容部５８、配置部６２及び開口６３がケーブル配線空間７２と対向するように設定されている。これにより、収容部５８からケーブル６０、６１を引き出せば、配線作業を行えるので、作業性を良好にできる。そして、制御ユニット４６の回路基板５０に設けられたケーブル接続部６６に接続されたケーブル６０は、配置部６２のノイズ抑制手段６４を通り抜けた後、フレーム７４の側面に沿って中継基板６８まで延びて、中継基板６８に接続されている。そして、中継基板６８から延びるケーブル７６は、記録ヘッド２８に接続されている。
【００６９】
また、制御ユニット４６の回路基板５０に設けられたケーブル接続部６７に接続されたケーブル６１は、開口６３を通り抜けた後、ケーブル配線空間７２内においてフレーム７４から離間させた状態で中継基板７０まで延びて、中継基板７０に接続されている。したがって、本実施例では中継基板６８、７０にそれぞれ接続されたケーブル６０、６１の取り外し方向が交差するように設定されている。これにより、ケーブル６０、６１の中継基板６８、７０への着脱作業を容易にできる。
【００７０】
＜＜＜制御ユニットの装置本体１２への着脱について＞＞＞
まず、図６、図１６ないし図１８を参照して制御ユニット４６の装置本体１２への取付について説明する。尚、すでに、図１ないし図５を参照してスキャナ部１４の装置本体１２に対する回動動作については説明しているので、ここでの説明を省略する。
【００７１】
図６を参照するに、装置本体１２の背面側に設けられた制御ユニット収容部７８に制御ユニット４６を装置背面側から挿入する。この際、制御ユニット４６の奥方側の面において複数のケーブル６０、６１は収容部５８内に折り畳まれて収容されている。これにより、制御ユニット４６の装置本体１２への装着時において、ケーブル６０、６１が作業の支障となることを低減できる。
【００７２】
そして、装置本体１２と制御ユニット４６とを固定する。具体的には制御ユニット４６に３箇所設けられている制御ユニット固定部５４をねじを介して装置本体１２に固定する。そして、コネクタ接続部５６Ａ、５６Ｂ、５６Ｃ、５６Ｄ、５６Ｅ、５６Ｆにそれぞれ対応するコネクタを接続する（図１７及び図１８参照）。そして、収容部５８内に収容されているケーブル６０、６１をケーブル配線空間７２内に引き出す。そして、ノイズ抑制手段６４から延びているケーブル６０を中継基板６８に接続する。また、開口６３から延びるケーブル６１を中継基板７０に接続する。これにより、制御ユニット４６の装置本体１２への装着がなされる。
【００７３】
装置本体１２から制御ユニット４６を取り外す際は、中継基板６８及び中継基板７０に接続されているケーブル６０、６１を中継基板６８及び中継基板７０からそれぞれ取り外す。そして、コネクタ接続部５６Ａ、５６Ｂ、５６Ｃ、５６Ｄ、５６Ｅ、５６Ｆにそれぞれ接続されているコネクタを取り外す。そして、装置本体１２と制御ユニット４６を接続している制御ユニット固定部５４においてねじを緩めて、制御ユニット４６を装置本体１２に対して装置奥行き方向背面側に引き出す。これにより、装置本体１２に対する制御ユニット４６の取り外しが完了する。
【００７４】
＜＜＜実施例の変更例＞＞＞
（１）本実施例においてスキャナ部１４は装置本体１２に対して装置幅方向右側端部を自由端として回動する構成としたが、この構成に代えて、装置幅方向左側端部を自由端として回動する構成としてもよく、装置奥行き方向前面側あるいは背面側を自由端として回動する構成としてもよい。
（２）本実施例において、キャリッジ２６をシリアル方式で構成したが、この構成に代えてキャリッジをラインヘッド方式で構成してもよい。
（３）本実施例において、第１の折れ線６０ｂ及び第２の折れ線６０ｃには、それぞれの識別のために折り目に異なる色を付してもよく、あるいは目印等のマーキングを付しても良い。特に、第１の折れ線６０ｂ及び第２の折れ線６０ｃの折り目に異なる色を付すことにより、収容部５８内に折り畳むための第１の折れ線６０ｂと、装置本体１２内における配線のための第２の折れ線６０ｃとの区別が容易となる。そして、これによりケーブル６０におけるそれぞれの折り畳み位置が明確となり、ケーブル６０の収容部５８への収容作業、あるいは装置本体１２内部での引き回し作業を容易にできる。
（４）また、中継基板６８、７０のコネクタにそれぞれ色を付し、ケーブル６０、６１においても対応する中継基板６８、７０のコネクタと同じ色を付すことでケーブル６０、６１の誤装着を防ぎ、ケーブル６０、６１の装着作業をし易くできる。
（５）本実施例において図１８に示すように中継基板６８と中継基板７０とは装置奥行き方向において隣り合って配置されているが、この構成に代えて装置奥行き方向に離間して配置してもよい。中継基板６８、７０を離間することによりケーブル６０、６１の着脱作業がし易くなる。
（６）本実施例において制御ユニット４６を装置本体１２の装置幅方向右側端部に配置したが、この構成に代えて、装置本体１２の装置幅方向左側端部に設けてもよく、あるいは装置本体１２の任意の場所に設けてもよい。
（７）本実施例においてケーブル６０、６１をＦＦＣ（フレキシブルフラットケーブル）として構成したが、この構成に代えて、両端部にコネクタを備えたケーブルやハーネスとして構成してもよい。
（８）本実施例において、制御ユニット４６の収容部５８は凹部として構成したが、この構成に加えて、収容部５８内にケーブル６０、６１の少なくとも一部を係止させる構成を設けてもよい。このように構成することにより、制御ユニット４６を装置本体１２から取り外す際、ケーブル６０、６１を収容部５８に係止させて引き出すことにより、ケーブル６０、６１が装置本体１２に引っ掛かって作業の支障となることや、ケーブル６０、６１の破損を抑制できる。
【００７５】
上記説明をまとめると、プリンター１０は、被記録媒体に記録を行う記録ヘッド２８を備える装置本体１２と、装置本体１２が備える制御対象の制御を行う、装置本体１２に対し着脱可能な制御ユニット４６と、装置本体１２において制御ユニット４６と電気的に接続される中継基板６８、７０と、を備え、中継基板６８、７０が複数設けられるとともに、制御ユニット４６と複数の中継基板６８、７０とがケーブル６０、６１で接続されている。
【００７６】
上記構成によれば、装置本体１２において制御ユニット４６と電気的に接続される中継基板６８、７０が複数設けられるとともに、制御ユニット４６と複数の中継基板６８、７０とがケーブル６０、６１で接続されるので、着脱可能な制御ユニット４６を装置本体１２に着脱する際に必要な力の増大を抑制でき、制御ユニット４６を装置本体１２に着脱する際の作業性が向上する。
【００７７】
制御ユニット４６は、複数のケーブル６０、６１のうち少なくとも一つを収容可能な収容部５８を有する。この構成によれば、制御ユニット４６を装置本体１２に装着する際において、ケーブル６０、６１の、装置本体１２を構成する部材への引っ掛かりを回避でき、或いは引っ掛かりの危険性を抑制できる。その結果、制御ユニット４６を装置本体１２に挿す際の作業性がより一層向上するとともに、ケーブル６０、６１の被覆に傷を付けたり断線させたり等の問題を回避できる。
【００７８】
制御ユニット４６は、回路基板５０を備えて成り、収容部５８は、回路基板５０の平面視において回路基板５０の領域内にある。この構成によれば、収容部５８の配設に伴う制御ユニット４６の大型化を回避でき、或いは大型化を抑制できる。
【００７９】
収容部５８は、複数のケーブル６０、６１のうち少なくとも一のケーブル６０のノイズを抑制するノイズ抑制手段６４を配置する配置部６２と一体的に形成されている。この構成によれば、収容部５８と配置部６２とを別個の部材で構成する必要がなく、低コスト化を図ることができる。
【００８０】
収容部５８に収容されるケーブル６０、６１は、制御ユニット４６の外側を構成する面において、収容部５８が設けられた面と同じ面から延出する。この構成によれば、ケーブル６０、６１を収容部５８に収容した際、制御ユニット４６の外側に露呈するケーブル６０、６１部分を少なくできる。その結果、制御ユニット４６を装置本体１２に挿す際にケーブル６０、６１がより一層邪魔にならず、また、ケーブル６０、６１の被覆に傷を付けたり断線させたり等の問題をより確実に回避できる。
【００８１】
収容部５８は、制御ユニット４６において装置奥側となる面に設けられている。この構成によれば、制御ユニット４６を装置本体１２に装着する際に収容部５８からケーブル６０、６１が或る程度飛び出ていても、装置本体１２を構成する部材へのケーブル６０、６１の引っ掛かりを回避でき、或いは引っ掛かりの危険性を抑制できる。
【００８２】
収容部５８に収容されるケーブル６０、６１には、収容部５８に収容する際の折り目となる位置に、第１の折れ線６０ｂが付されている。この構成によれば、収容部５８にケーブル６０、６１を収容する作業が容易になるとともに、ケーブル６０、６１を前記収容部に適切に収容することができる。
【００８３】
収容部５８に収容されるケーブル６０、６１には、装置本体１２に制御ユニット４６を装着した際の折り目となる位置に、第２の折れ線６０ｃが付されている。この構成によれば、ケーブル６０、６１を中継基板６８、７０に接続する作業が容易になるとともに、ケーブル６０、６１を装置本体１２内において適切に配線することができる。
【００８４】
プリンター１０は、装置本体１２に対し回動可能に連結され、回動することにより装置本体１２の上部を開閉するスキャナ部１４を備え、中継基板６８、７０は、スキャナ部１４を開くことにより露呈する位置に配置されている。この構成によれば、中継基板６８、７０とケーブル６０、６１との接続及び切り離し作業が容易となる。
【００８５】
制御ユニット４６は、装置本体１２においてスキャナ部１４の自由端側、すなわち装置幅方向右側に配置されている。この構成によれば、作業スペースをより一層大きく確保することができ、中継基板６８、７０とケーブル６０、６１との接続及び切り離し作業をより一層容易に行うことができる。
【００８６】
制御ユニット４６は、被記録媒体に記録を行う記録ヘッド２８を備える装置本体１２に設けられた制御対象の制御を行う制御ユニットである。
【００８７】
制御ユニット４６は、被記録媒体に記録を行う記録ヘッド２８を備える装置本体１２に設けられた制御対象の制御を行う、装置本体１２に対し着脱可能な制御ユニット４６であって、装置本体１２が備える中継基板６８、７０との電気的な接続を行うケーブル６０、６１を収容する収容部５８を有する。この構成によれば、制御ユニット４６を装置本体１２に装着する際において、ケーブル６０、６１の、装置本体１２を構成する部材への引っ掛かりを回避でき、或いは引っ掛かりの危険性を抑制できる。その結果、制御ユニット４６を装置本体１２に挿す際の作業性がより一層向上するとともに、ケーブル６０、６１の断線等を回避できる。
【００８８】
また、本実施形態では本発明に係る制御ユニット４６を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００８９】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００９０】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００９１】
１０…プリンター、１２…装置本体、１２ａ、１２ｂ…スキャナ固定部、１４…スキャナ部、１４ａ…原稿台、１４ｂ…読み取り機構部、１４ｃ…給送機構部、１４ｄ…原稿セット部、１４ｅ…原稿排出トレイ、１６Ａ、１６Ｂ…インク収容体格納部、１８…媒体収容部、２０…排出口、２２…排出トレイ、２４…操作部、２６…キャリッジ、２８…記録ヘッド、３０…外装部材、３２…ヒンジ部、３８ａ、３８ｂ…固定部、４０…スキャナ固定ねじ、４２…リンク部、４２ａ…第１リンク、４２ｂ…第２リンク、４４…背面カバー、４６…制御ユニット、４８…筐体、５０…回路基板、５２…インターフェース部、５４…制御ユニット固定部、５６Ａ、５６Ｂ、５６Ｃ、５６Ｄ、５６Ｅ、５６Ｆ…コネクタ接続部、５８…収容部、５８ａ…収容部の奥方の面、６０、６１、７６…ケーブル、６０ａ、６１ａ…他端、６０ｂ、６１ｂ：第１の折れ線、６０ｃ…第２の折れ線、６２…配置部、６３…開口、６４…ノイズ抑制手段、６６、６７…ケーブル接続部、６８、７０…中継基板、７２…ケーブル配線空間、７４…フレーム、７８…制御ユニット収容部
【図１】
2017121714.tif 000003
【図２】
2017121714.tif 000004
【図３】
2017121714.tif 000005
【図４】
2017121714.tif 000006
【図５】
2017121714.tif 000007
【図６】
2017121714.tif 000008
【図７】
2017121714.tif 000009
【図８】
2017121714.tif 000010
【図９】
2017121714.tif 000011
【図１０】
2017121714.tif 000012
【図１１】
2017121714.tif 000013
【図１２】
2017121714.tif 000014
【図１３】
2017121714.tif 000015
【図１４】
2017121714.tif 000016
【図１５】
2017121714.tif 000017
【図１６】
2017121714.tif 000018
【図１７】
2017121714.tif 000019
【図１８】
2017121714.tif 000020